(57)【特許請求の範囲】
【請求項１】
絶縁性基板と、
前記絶縁性基板の辺に沿って前記絶縁性基板上に配列されたＣＯＧ（Chip On Glass）形態の複数のＩＣと、
前記絶縁性基板の前記辺に沿って延設され、前記複数のＩＣと接続されるＦＰＣ（フレキシブルプリント基板）とを備え、
前記複数のＩＣのうちの所定のＩＣは、その長辺の延在方向を前記絶縁性基板の前記辺の延在方向から傾けて当該長辺が前記ＦＰＣの中央側を向くように配置され、
前記所定のＩＣは、前記複数のＩＣの配列端部から所定個数のＩＣを含み、かつ、前記ＦＰＣの中央軸に対して対称に傾けて配置されている、
液晶表示装置。
【請求項２】
前記所定のＩＣは、
前記ＦＰＣの外側に近づくにつれて大きく傾けて配置されている、
請求項１に記載の液晶表示装置。
【請求項３】
前記所定のＩＣの傾斜角θは、０°＜θ＜４５°の関係を満たす、
請求項１または請求項２に記載の液晶表示装置。
【請求項４】
前記ＦＰＣの端部は、
前記複数のＩＣの配列端部よりも内側に位置している、
請求項１乃至請求項３のいずれかに記載の液晶表示装置。
【請求項５】
前記ＦＰＣは、複数個のＦＰＣを含み、
前記所定のＩＣは、対応する各前記ＦＰＣ毎に当該ＦＰＣの中央側を向くように配置されている、
請求項１に記載の液晶表示装置。
【発明の詳細な説明】
【技術分野】
【０００１】
本発明は、液晶表示装置に関するものであり、特に、ＧＯＧ（Chip On Glass）形態のＩＣを搭載する液晶表示装置に関するものである。
【背景技術】
【０００２】
近年、液晶ディスプレイでは、ＣＯＧ（Chip On Glass）技術が用いられる。液晶ディスプレイの液晶パネルにおいて、絶縁性基板であるガラス基板上に配列されるＣＯＧ形態のＩＣは、ＦＰＣ（Flexible Printed Circuit：フレキシブルプリント基板）を介して、制御基板と接続される。特許文献１には、ＦＰＣを用いた平面表示装置が記載されている。液晶ディスプレイのガラス基板が横に長い場合には、ＦＰＣの横幅も非常に長くなるため、ＦＰＣのパネル接続端子の累積寸法公差を低減することが要求されている。その対策として、パネル接続端子のピッチを緩く設定する、または、ＦＰＣ層構成・絶縁材料を伸びにくい仕様にするなどが提案されている。
【０００３】
【特許文献１】特開２０００−１３７４４５号公報
【発明の開示】
【発明が解決しようとする課題】
【０００４】
しかしながら、パネル接続端子のピッチを緩く設定すると、ＦＰＣの横幅は長くなり、コストがかかる。一方、ＦＰＣを構成する層の数を減らした場合（例えば３層材から伸びに強い２層材に変更する場合）は、コストがかかる。また、複数個のＦＰＣを設けた場合には、ＦＰＣ１つ当たりのパネル接続端子数を減らすことができ、ＦＰＣ長さを短くすることができるため、累積寸法公差を低減することができる。しかしながら、複数のＦＰＣになるとワークシートへの別面付けとなり、同じトータル長さでもＦＰＣの個数が増えて管理の面で高くなってしまうという問題があった。
【０００５】
本発明の目的は、仮にＦＰＣを複数個設ける場合でも、ＦＰＣの長さ、すなわち、横幅を短くしてトータルのＦＰＣ長さを短くすることにより、ＦＰＣのコストを低減するとともに、累積寸法公差を低減することができる液晶表示装置を提供することである。
【課題を解決するための手段】
【０００６】
本発明に係る液晶表示装置は、絶縁性基板と、前記絶縁性基板の辺に沿って前記絶縁性基板上に配列されたＣＯＧ（Chip On Glass）形態の複数のＩＣと、前記絶縁性基板の前記辺に沿って延設され、前記複数のＩＣと接続されるＦＰＣ（フレキシブルプリント基板）とを備える。前記複数のＩＣのうちの所定のＩＣは、その長辺の延在方向を前記絶縁性基板の前記辺の延在方向から傾けて当該長辺が前記ＦＰＣの中央側を向くように配置され、前記所定のＩＣは、前記複数のＩＣの配列端部から所定個数のＩＣを含み、かつ、前記ＦＰＣの中央軸に対して対称に傾けて配置されている。
【発明の効果】
【０００７】
本発明の液晶表示装置によれば、複数のＩＣを傾斜して配列することにより、ＦＰＣの長さ、すなわち、横幅を短くすることができる。これにより、ＦＰＣのコストを低減するとともに、累積寸法公差を低減することができる。
【発明を実施するための最良の形態】
【０００８】
＜実施の形態１＞
本実施の形態に係る液晶表示装置について説明する前に、図１５〜図１８を用いて従来の液晶表示装置について説明する。図１５は、従来の液晶表示装置の正面図である。図１５に示すように、従来の液晶表示装置は、絶縁性基板であるガラス基板１１およびＣＯＧ（Chip On Glass）形態の複数のＩＣ９，１０とからなる液晶パネル１と、ＦＰＣ（フレキシブルプリント基板）２と、制御基板３とを備える。
【０００９】
図１５に係る複数のＩＣ９，１０は、ゲートＩＣ９と、ソースＩＣ１０とを含む。図１５に示すように、複数のＩＣ９，１０は、絶縁性基板であるガラス基板１１の辺に沿ってガラス基板１１上に等間隔に配列されている。ゲートＩＣ９は、複数のＩＣ９，１０の配列両端部に配置され、ソースＩＣ１０は、それ以外に配置される。図１５に係る複数のＩＣ９，１０それぞれの形状は、矩形状であり、複数のＩＣ９，１０は、その長辺の延在方向を、ガラス基板１１の辺の延在方向と平行にして配置される。
【００１０】
制御基板３上には、Ｔ−ＣＯＮ（タイミングコントローラー）４と、ＦＰＣ接続コネクタ５と、システム側接続コネクタ６とが設けられる。ＦＰＣ２は、ＦＰＣ接続コネクタ５を介して制御基板３と接続される。
【００１１】
図１５に示すように、ＦＰＣ２はガラス基板１１の辺に沿って延設される。本実施の形態に係るＦＰＣ２の形状は、Ｔ字形であるものとする。図１６は、図１５の破線部分、つまり、ＦＰＣ２の左側近傍を拡大した図である。図１６に示すように、ＦＰＣ２は、複数のＩＣ９，１０と接続される。また、ＦＰＣ２は、複数のパネル接続端子１２を有する。図１６の下側には、複数のパネル接続端子１２を拡大して示している。なお、パネル接続端子１２は、縮小図では小さくなって複雑になるので、以下の縮小図では、図１６のように、簡略化して示すものとする。
【００１２】
ゲートＩＣ９は、ゲートＩＣ出力配線２０を介してガラス基板１１上の各画素のゲートと接続されるとともに、ゲートＩＣ入力配線２２を介してＦＰＣ２のパネル接続端子１２と接続される。ソースＩＣ１０は、ソースＩＣ出力配線２１を介してガラス基板１１上の各画素のソースと接続されるとともに、ソースＩＣ入力配線２３を介してＦＰＣ２のパネル接続端子１２と接続される。ＶＣＯＭ配線２４，２５は、ガラス基板１１上の対向電極とＦＰＣ２とを接続する。
【００１３】
なお、各複数のＩＣ９，１０は、複数の配線と接続されるが、図１６では、簡単のため、各複数のＩＣ９，１０の両端における配線のみ図示している。また、パネル接続端子１２のうち、ゲートＩＣ入力配線２２、ソースＩＣ入力配線２３、ＶＣＯＭ配線２４，２５と接続されないパネル接続端子を、以下、ダミー端子と呼ぶことにする。
【００１４】
一般的に、ゲートＩＣ９およびソースＩＣ１０の入力端子のピッチよりも、ＦＰＣ２のパネル接続端子１２のピッチの方が広い。例えば、５インチクラス以上の液晶パネルでは、ＩＣの入力端子のピッチは約数十μｍであり、ＦＰＣ２のパネル接続端子１２のピッチは約数百μｍである。そのため、ゲートＩＣ入力配線２２、および、ソースＩＣ入力配線２３の配線領域は、図１６に示すように、ゲートＩＣ９およびソース１０からＦＰＣ２に向かってみると、外側に広がった形状となる。
【００１５】
図１７は、３層材からなるＦＰＣ２の断面図である。図１７に係るＦＰＣ２は、ベースフィルム１００と、ベースフィルム接着剤１０１と、銅箔＋銅めっき１０２と、金めっき１０３と、カバーレイ接着剤１０４と、カバーレイ１０５と、補強板接着剤１０６と、補強板１０７とを備える。ここで、３層材とは、ベースフィルム１００の層と銅箔１０２の層とを、ベースフィルム接着剤１０１の層で張り合わせた３層からなる構成をいう。これに対し、ベースフィルム接着剤１０１を省いた構造は、２層材と呼ばれる。２層材、３層材ともに、ＦＰＣ２では、一般的な構造である。なお、銅箔１０２の銅めっきは、導体層が２つ以上ある両面板では、スルーホールめっきのため必須である。また、上述の金めっき１０３は、ニッケル下地がある場合と無い場合に大別できる。ニッケル下地がある場合には、金の厚さをニッケル下地がない場合の０．３μｍ程度から０．０３μｍ程度に薄くできるので、コストの点から望ましい。ただし、ニッケル下地がない方が通常柔らかく折り曲げする場合には好ましく、どちらを採用するかは、設計に依存して採用される。
【００１６】
ＦＰＣ２は、図１６に示したように複数のＩＣ９，１０と接続される。そのため、図１５に示すように、ＦＰＣ２は、ゲートＩＣ９よりも外側に延設される必要がある。そうすると、液晶パネル１のガラス基板１１が横に長い場合、ＦＰＣ２の横幅、つまり、パネル接続端子１２の総長も長くする必要がある。この場合、ＦＰＣ２のパネル接続端子１２の累積寸法公差を低減することが要求される。
【００１７】
例えば、ＦＰＣが３層材であり、パネル接続端子１２のピッチが０．５ｍｍ（ライン幅／スペースが０．２５／０．２５ｍｍ）、パネル接続端子１２の総長が２００ｍｍ以上である場合、累積寸法公差は±０．１％程度となる。そのため、パネル接続端子１２の総長が２５０ｍｍである場合には、累積寸法公差は２５０ｍｍの±０．１％、つまり、±０．２５ｍｍとなる。この場合、ライン幅／スペースが０．２５／０．２５ｍｍであるため、最悪の場合、隣のパネル接続端子１２とショートしてしまう。
【００１８】
このようなショートを防ぐため、累積寸法公差を±０．１％以下にする対策が提案されている。その一つとして、パネル接続端子１２のピッチを、例えば、０．５ｍｍピッチから０．８ｍｍピッチへとピッチを緩くする構造が提案されている。しかしながら、この構造では、ＦＰＣ２の横幅は長くなるため、コストが高くなる。
【００１９】
また、累積寸法公差を±０．１％以下にするため、伸びに強い２層材でＦＰＣを構成することも提案されている。しかしながら、２層材は、３層材よりもコストが高い。
【００２０】
また、複数個のＦＰＣ２を設けることも提案されている。図１８に、２個のＦＰＣ２を設けた液晶表示装置を示す。このようにすれば、ＦＰＣ２の１個あたりにおけるパネル接続端子１２の数を減らすことができるため、累積寸法公差を低減することができる。しかしながら、複数のＦＰＣ２になるとワークシートへの別面付けとなり、同じトータル長さでもＦＰ２Ｃの個数が増えて管理の面で高くなる。また、図１８に示すように、制御基板３側において複数のＦＰＣ接続コネクタ５を設ける必要があるため、コストがかかる。
【００２１】
なお、ＦＰＣ２の横幅を短くするために、複数のＩＣ９，１０をＦＰＣ２の中央付近に寄せて配列すると、配列端側のＩＣ９，１０と、ＦＰＣ２のパネル接続端子１２とを接続する配線は短くなるが、配列端側のＩＣ９，１０それぞれのゲートＩＣ出力配線２０、ソースＩＣ出力配線２１は逆に長くなる。その結果、ゲートＩＣ出力配線２０、ソースＩＣ出力配線２１の配線抵抗値および容量値が増大し、画素駆動に悪影響を与えるという問題がある。このため、通常は、複数のＩＣを均等配列・配置することが多い。以下、そのような場合でも、ＦＰＣ２の横幅を短くすることが可能な本実施の形態に係る液晶表示装置について説明する。
【００２２】
図１は、本実施の形態に係る液晶表示装置の正面図である。図１に示すように、本実施の形態に係る液晶表示装置は、絶縁性基板であるガラス基板１１およびＣＯＧ形態の複数のＩＣ７，８，１０とからなる液晶パネル１と、ＦＰＣ２と、制御基板３とを備える。なお、以下で説明しない構成については、上述の液晶表示装置の構成と同一であるものとし、同一の符号を付すものとする。
【００２３】
本実施の形態に係る複数のＩＣ７，８，１０は、ゲートＩＣ７と、ソースＩＣ８，１０とを含む。複数のＩＣ７，８，１０は、本実施の形態では、ガラス基板１１の辺に沿ってガラス基板１１上に配列される。また、本実施の形態に係る複数のＩＣ７，８，１０は、図１に示すように、略均等配列・配置されている。本実施の形態では、ゲートＩＣ７は、複数のＩＣ７，８，１０の配列両端部に配置され、ソースＩＣ８，１０は、それ以外に配置される。図１に示すように、本実施の形態に係る複数のＩＣ７，８，１０それぞれの形状は、矩形状である。複数のＩＣ７，８，１０のうち、ソースＩＣ１０は、上述と同様、その長辺の延在方向を、ガラス基板１１の辺の延在方向と平行にして配置されている。
【００２４】
図１に示すように、ＦＰＣ２は、ガラス基板１１の辺に沿って延設される。図２は、図１の破線部分、つまり、ＦＰＣ２の左側近傍を拡大した図である。図２に示すように、ＦＰＣ２は、複数のＩＣ７，８，１０と接続される。また、ＦＰＣ２は、必ずしもゲートＩＣ７の端部から内側に配置されていなくてもよいが、本実施の形態では、ＦＰＣ２の端部が、複数のＩＣ７，８，１０の配列端部、つまり、ゲートＩＣ７の端部よりも内側に位置している。
【００２５】
複数のＩＣ７，８，１０のうちの所定のＩＣは、その長辺の延長方向をガラス基板１１の辺の延長方向から傾けて当該長辺がＦＰＣ２の中央側を向くように配置されている。本実施の形態では、所定のＩＣは、複数のＩＣ７，８，１０の配列両端部から所定の個数（図２では２個）のＩＣであり、ゲートＩＣ７およびソースＩＣ８が相当する。こうして、図１，図２に示すように、ゲートＩＣ７およびソースＩＣ８は、配列左端側で反時計回りに、配列右端側で時計回りに傾けて配置される。
【００２６】
図３は、配列左端側のゲートＩＣ７およびソースＩＣ８の傾斜状況を示す図である。この図３では、簡単のため、配線は省略して図示している。この図において、直線ｌ，ｍ，ｎそれぞれは互いに平行である。ゲートＩＣ７、ソースＩＣ８それぞれの長辺の延在方向が、ガラス基板１１の辺（直線ｎ）の延在方向（直線ｍ）となす角をθ１、θ２とする。図３に示すように、本実施の形態では、ゲートＩＣ７およびゲートＩＣ８は、θ１＞θ２となるように配置されている。このように、本実施の形態では、ゲートＩＣ７およびソースＩＣ８は、ＦＰＣ２の外側に近づくにつれて大きく傾けて配置されている。また、本実施の形態では、ゲートＩＣ７およびソースＩＣ８の傾斜角θ（θ＝θ１またはθ２）は、０°＜θ＜４５°の関係を満たしているものとする。
【００２７】
以上では、複数のＩＣ７，８，１０の配列左側について説明したが、図４に示すように、本実施の形態では、複数のＩＣ７，８，１０の配列右側についても、同様の配置を行う。こうして、複数のＩＣ７，８，１０の配列右側のゲートＩＣ７およびソースＩＣ８は、時計回りに傾けて配置される。
【００２８】
図５は、右側に配置されたゲートＩＣ７およびソースＩＣ８の傾斜状況を示す図である。ここで、ゲートＩＣ７、ソースＩＣ８それぞれの長辺の延在方向が、ガラス基板１１の辺（直線ｎ）の延在方向（直線ｍ）となす角をθ１１、θ１２とする。図５に示すように、右側に配置されたゲートＩＣ７およびゲートＩＣ８は、本実施の形態では、θ１＝θ１１、θ２＝θ１２となるように配置されている。こうして、本実施の形態では、ゲートＩＣ７およびソースＩＣ８は、ＦＰＣ２の中央軸に対して対称に傾けて配置されている。
【００２９】
以上のような本実施の形態に係る液晶表示装置によれば、ゲートＩＣ７およびソースＩＣ８を上述のように傾斜して配列するため、それらＩＣ７，８からＦＰＣ２側への配線領域を、ＦＰＣ２の中央側へシフトさせることができる。図２のＦＰＣ２の左側に記された破線は、図１６に示した従来の液晶表示装置のＦＰＣ２の横幅を示す。こうして、複数のＩＣ７，８，１０の位置を大きく変更できないという制約がある場合でも、配線領域をＦＰＣ２の中央側へシフトすることにより、ＦＰＣ２の横幅を距離Ａだけ短くすることができる。その結果、ダミー端子の領域を減らしてＦＰＣ２の長さを短くし、ＦＰＣ２のコストを低減するとともに、累積寸法公差を低減することができる。また、ＦＰＣ２を複数設けなくてもよい場合も起こりやすくなり、その場合には、複数のＦＰＣ接続コネクタ５を設ける必要がない。そのため、コストを下げることができる。
【００３０】
また、本実施の形態では、ゲートＩＣ７およびソースＩＣ８の傾斜角θ（θ＝θ１またはθ２）は、０°＜θ＜４５°の関係を満たすものとした。この効果について、図６を用いて説明する。この図は、この傾斜角の効果を簡単に説明するため、２個のソースＩＣ８を傾けた一例を示している。４５°≦θ＜９０°とした場合（図６（ａ））、ソースＩＣ８の左端部では、ソースＩＣ入力配線２３ａは短くなるが、逆にソースＩＣ出力配線２１ａは長くなる。一方、ソースＩＣ８の右端部ではソースＩＣ出力配線２１ｂは短くなるが、逆にソースＩＣ入力配線２３ｂは長くなる。隣接するソースＩＣ８の右端部のソースＩＣ入力配線２３ｂと左端部のソースＩＣ出力配線２１ａとが近接するため（図の破線部）、どうしても安全な配線間距離を保った配線領域を確保する必要が生じ、結果として入出力の配線が長くなってしまう。それに対し、傾斜角θを０°＜θ＜４５°とすれば（図６（ｂ））、傾斜角θが４５°≦θ＜９０°とする場合に比べ、ゲートＩＣ７およびソースＩＣ８それぞれの入力および出力の配線領域を確保することが容易になるとともに、ガラス基板１１の配線距離を短くすることができる。こうして、ガラス基板１１上の配線距離を短くすることにより、液晶パネル１において、パネル有効エリアと外形サイズ間の額縁部分の幅を小さくすることができる。なお、本実施の形態では、直線ｌと直線ｍは異なるラインであったが、これに限ったものではなく、同一ラインであってもよい。
【００３１】
特に、近年用いられている６００〜８００出力以上の多出力ＩＣでは、長辺が長く、短辺が短いため、少しの傾斜角度でも充分な効果を得ることができる。また、複数のＩＣ７，８，１０を液晶パネル１に実装するときには、ツールを使って圧着するが、ツールの幅があまり無い場合には回転角が小さい方が有利であり、特に多出力ＩＣの場合には有効である。
【００３２】
なお、本実施の形態では、複数のＩＣ７，８，１０を均等配列・配置したが、これに限ったものではない。また、本実施の形態では、所定のＩＣは、複数のＩＣ７，８，１０の配列端部から２個のＩＣ（ゲートＩＣ７およびソースＩＣ８）であるものとした。しかし、これに限ったものではなく、所定のＩＣは、配列端部のゲートＩＣ７のみであってもよく、もしくは、全ての複数のＩＣ７，８，１０であってもよい。この場合、ＩＣの総数、および、ＩＣ配置箇所によって、ＦＰＣ２の左側か、右側かのいずれかになり、それに応じて反時計回りに傾斜するか、時計回りに傾斜するかを決めればよい。
【００３３】
また、本実施の形態では、ＦＰＣ２の形状はＴ字形であり、制御基板３は、液晶パネル１中央部に配置するものとして説明した。しかし、これに限ったものではなく、図７、図８に示すように、ＦＰＣ２の形状がＬ字形であって、制御基板３が液晶パネル１の左側、右側に配置されるものであってもよい。これらの場合であっても、上述と同じ効果を得ることができる。なお、ＦＰＣ２の形状をＴ字形、Ｌ字形のいずれにするかは、システム側接続コネクタ６の位置に応じて決定すればよい。
【００３４】
＜実施の形態２＞
図９は、本実施の形態に係る液晶表示装置の正面図である。本実施の形態に係るＦＰＣ２は、複数個のＦＰＣ２ａ，２ｂを含む。図９に示すように、ＦＰＣ２ａは、図９の左側、ＦＰＣ２ｂは、図９の右側に図示されている。以下、本実施の形態に係る液晶表示装置のうち、実施の形態１と同一の構成については、対応する符号を付すものとし、新たに説明しない構成については、実施の形態１と同じであるものとする。
【００３５】
図１０は、図９の破線部分、つまり、図９において左側に図示されたＦＰＣ２ａを拡大した図である。本実施の形態では、所定のＩＣは、対応するＦＰＣ２ａ又は２ｂ毎に当該ＦＰＣ２ａ又は２ｂの中央側を向くように配置されている。図１０では、所定のＩＣであるゲートＩＣ７ａおよびソースＩＣ８ａは、その長辺をＦＰＣ２ａの中央側を向くように配置されている。
【００３６】
なお、拡大して図示しないが、図９に示すように、所定のＩＣであるゲートＩＣ７ｂおよびソースＩＣ８ｂも、その長辺をＦＰＣ２ｂの中央側を向くように配置されている。また、図９に示すように，本実施の形態では、ゲートＩＣ７ａとゲートＩＣ７ｂは、左右対称に傾けて設けられている。また、本実施の形態では、ソースＩＣ８ａ同士は、左右対称に傾けて設けられ、ソースＩＣ８ｂ同士は、左右対称に傾けて設けられる。
【００３７】
以上のような本実施の形態に係る液晶表示装置によれば、ＦＰＣ２ａの右側近傍のソースＩＣ８ａを、時計回りに傾斜して配列するため、そのソースＩＣ８ａからＦＰＣ２ａ側への配線領域をＦＰＣ２ａの中央側へシフトさせることができる。図１１は、図１０に対応させた図であり、複数のＩＣ７，８，１０の配列左端部から２個のＩＣ（ゲートＩＣ７およびソースＩＣ８）のみを傾斜した図である。図１０のＦＰＣ２ａの右側に記された破線は、図１１に示した液晶表示装置のＦＰＣ２の横幅を示す。こうして、複数のＩＣ７ａ，８ａ，１０ａの位置を大きく変更できないという制約がある場合でも、配線領域をＦＰＣ２ａの中央側へシフトすることにより、ＦＰＣ２ａの横幅を距離Ｂだけ短くすることができる。また、図示しないが、図９の右側のＦＰＣ２ｂの横幅についても、同様に短くすることができる。その結果、ダミー端子の領域を減らしてＦＰＣ２ａ，２ｂのコストを低減するとともに、累積寸法公差を低減することができる。
【００３８】
＜実施の形態３＞
図１２は、本実施の形態に係る液晶表示装置の正面図である。実施の形態１および実施の形態２では、ゲートＩＣ７は、複数のＩＣ７，８，１０の配列両端部に配置されていた。本実施の形態では、ゲートＩＣ７は、複数のＩＣ７，８，１０の配列一端部、例えば、配列左端部にのみ配置される。なお、複数のＩＣ７，８，１０の配列左端部は、実施の形態１と同じ配置である。
【００３９】
図１３は、図１２の破線部分、つまり、ＦＰＣ２の右側を拡大した図である。本実施の形態では、複数のＩＣ７，８，１０のうちの所定のＩＣは、その長辺の延長方向をガラス基板１１の辺の延長方向から傾けて当該長辺がＦＰＣ２の中央側を向くように配置されている点で、実施の形態１と同じである。本実施の形態では、実施の形態１と異なり、ゲートＩＣ７を片側だけに設けているため、傾斜させるＩＣの数が左右で異なるが、左右のゲートＩＣ７、ソースＩＣ８の傾斜に対称性を持たせている。つまり、左端ゲートＩＣ７の傾斜角θ１と右端ソースＩＣ８の傾斜角θ１２が同じ、あるいは左側ソースＩＣ８の傾斜角θ２と右側ソースＩＣの傾斜角θ１２が同じということである。
【００４０】
以上のような本実施の形態に係る液晶表示装置によれば、ＦＰＣ２の右側近傍のソースＩＣ８を、時計回りに傾斜して配列するため、そのソースＩＣ８からＦＰＣ２側への配線領域をＦＰＣ２の中央側へシフトさせることができる。図１４は、図１３に対応させた図であり、複数のＩＣ７，８，１０の配列右側のＩＣ（ソースＩＣ１０）を傾斜させていない図である。図１３のＦＰＣ２の右側に記された破線は、図１４に示した液晶表示装置のＦＰＣ２の横幅を示す。図１３に示すように、こうして、複数のＩＣ７，８，１０の位置を大きく変更できないという制約がある場合でも、配線領域をＦＰＣ２の中央側へシフトすることにより、ＦＰＣ２の横幅を距離Ｃだけ短くすることができる。その結果、ダミー端子の領域を減らしてＦＰＣ２のコストを低減するとともに、累積寸法公差を低減することができる。
【００４１】
なお、本実施の形態では、ゲートＩＣ７は、複数のＩＣ７，８，１０の配列左端部にのみ配置される場合について説明した。しかし、これに限ったものではなく、ゲートＩＣ７が、複数のＩＣ７，８，１０の配列右端部にのみ配置される場合であってもよい。その場合には、本実施の形態で説明した配置とＦＰＣ２の中央軸に対して対称となる配置にすることで、本実施の形態と同様の効果を得ることができる。
【図面の簡単な説明】
【００４２】
【図１】実施の形態１に係る液晶表示装置の一例を示す図である。
【図２】図１の破線部分の拡大図である。
【図３】図２の補助図である。
【図４】図１の右端部の拡大図である。
【図５】図４の補助図である。
【図６】実施の形態１に係る液晶表示装置のＩＣ配置による効果を示す図である。
【図７】実施の形態１に係る液晶表示装置の一例を示す図である。
【図８】実施の形態１に係る液晶表示装置の一例を示す図である。
【図９】実施の形態２に係る液晶表示装置の一例を示す図である。
【図１０】図９の破線部分の拡大図である。
【図１１】図９の左側ＦＰＣの右端部のみ従来同様のＩＣ配置にした図である。
【図１２】実施の形態３に係る液晶表示装置の一例を示す図である。
【図１３】図１２の破線部分の拡大図である。
【図１４】図１２のＦＰＣの右端部のみ従来同様のＩＣ配置にした図である。
【図１５】従来のＩＣ配置図とＦＰＣの一例を示す図である。
【図１６】図１５の破線部分の拡大図である。
【図１７】ＦＰＣの一般的な断面図である。
【図１８】従来のＦＰＣが複数個あるＩＣ配置図とＦＰＣの一例を示す図である。
【符号の説明】
【００４３】
１  液晶パネル、２，２ａ，２ｂ  ＦＰＣ、３  制御基板、４  Ｔ−ＣＯＮ、５  ＦＰＣ接続コネクタ、６  システム側接続コネクタ、７，７ａ，７ｂ，９  ゲートＩＣ、８，８ａ，８ｂ，１０  ソースＩＣ、１１  ガラス基板、１２  パネル接続端子、２０  ゲートＩＣ出力配線、２１，２１ａ，２１ｂ  ソースＩＣ出力配線、２２  ゲートＩＣ入力配線、２３，２３ａ，２３ｂ  ソースＩＣ入力配線、２４，２５  ＶＣＯＭ配線、１００  ベースフィルム、１０１  ベースフィルム接着剤、１０２  銅箔＋銅めっき、１０３  金めっき又はニッケルめっき＋金めっき、１０４  カバーレイ接着剤、１０５  カバーレイ、１０６  補強板接着剤、１０７  補強板。
【図１】
0005164547.tif 000002
【図２】
0005164547.tif 000003
【図３】
0005164547.tif 000004
【図４】
0005164547.tif 000005
【図５】
0005164547.tif 000006
【図６】
0005164547.tif 000007
【図７】
0005164547.tif 000008
【図８】
0005164547.tif 000009
【図９】
0005164547.tif 000010
【図１０】
0005164547.tif 000011
【図１１】
0005164547.tif 000012
【図１２】
0005164547.tif 000013
【図１３】
0005164547.tif 000014
【図１４】
0005164547.tif 000015
【図１５】
0005164547.tif 000016
【図１６】
0005164547.tif 000017
【図１７】
0005164547.tif 000018
【図１８】
0005164547.tif 000019